(57)【要約】【課題】意図しない点灯状態の変化を抑制することができる点灯装置および照明器具を提供する。【解決手段】点灯装置１００は、点灯回路２０と、ＡＣ検出回路３０と、制御回路４０を備える。点灯回路２０は、光源モジュール２００と接続し、設定した調光比に従って光源モジュール２００に電力を供給する。ＡＣ検出回路３０は、商用電源が供給されるオン期間と商用電源が遮断されるオフ期間の組み合わせからなるプルレス操作を検出する。制御回路４０は、所定条件が成立したら前記調光比を設定する設定モードに移行し、前記設定モードへの移行後にプルレス操作を検出したら前記調光比の設定値を変化させる。設定モードへ移行した後でなければプルレス操作による調光比変化をさせないようにしたので、瞬時停電により電源変動があったときに意図しない調光比変化を抑制することができる。【選択図】図３
2015005364.tif 000002
【特許請求の範囲】
【請求項１】
光源モジュールと接続し、設定した調光比に従って前記光源モジュールに電力を供給する点灯回路と、
商用電源が供給されるオン期間と前記商用電源が遮断されるオフ期間の組み合わせからなるプルレス操作を検出するプルレス操作検出回路と、
所定条件が成立したら前記調光比を設定する設定モードに移行し、前記設定モードへの移行後に前記プルレス操作検出回路で前記プルレス操作を検出したら前記調光比の設定値を変化させる制御回路と、
を備えることを特徴とする点灯装置。
【請求項２】
前記設定モードへの移行があったことをユーザに報知することを特徴とする請求項１に記載の点灯装置。
【請求項３】
前記制御回路は、
前記設定モードへの移行があったときに前記光源モジュールの明るさを移行前と異なる明るさに変更することにより、前記設定モードへの移行があったことをユーザに報知することを特徴とする請求項２に記載の点灯装置。
【請求項４】
前記設定モードに移行した後に前記プルレス操作が検出されないまま所定時間が経過したら、前記設定モードから復帰することを特徴とする請求項１乃至３のいずれか１項に記載の点灯装置。
【請求項５】
光源モジュールと、
前記光源モジュールと接続する点灯装置と、
前記点灯装置と商用電源との間に介在する電源スイッチと、
を備え、
前記点灯装置は、
設定した調光比に従って前記光源モジュールに電力を供給する点灯回路と、
前記商用電源が供給されるオン期間と前記商用電源が遮断されるオフ期間の組み合わせからなるプルレス操作を検出するプルレス操作検出回路と、
所定条件が成立したら前記調光比を設定する設定モードに移行し、前記設定モードへの移行後に前記プルレス操作検出回路で前記プルレス操作を検出したら前記調光比の設定値を変化させる制御回路と、
を備えることを特徴とする照明器具。
【請求項６】
前記光源モジュールを複数備え、
前記電源スイッチで前記複数の光源モジュールのオンオフを制御することを特徴とする請求項５に記載の照明器具。
【発明の詳細な説明】
【技術分野】
【０００１】
本発明は、点灯装置および照明器具に関する。
【背景技術】
【０００２】
従来、例えば、特開２００５−２８５７２５号公報に開示されているように、いわゆるプルレス操作により段階的に照明器具の明るさを変化させることのできる点灯装置が知られている。プルレス操作とは、一般に、電源スイッチのオンとオフを短時間に切り替えるように操作することをいう。
【先行技術文献】
【特許文献】
【０００３】
【特許文献１】特開２００５−２８５７２５号公報
【特許文献２】特開２０１０−２０９７２号公報
【特許文献３】特開２０１３−３７７６６号公報
【発明の概要】
【発明が解決しようとする課題】
【０００４】
しかしながら、上記従来の技術では、電源のオンオフにより画一的に点灯状態が変更されてしまう。電源のオンオフの発生原因がユーザの意図的なプルレス操作ではなく瞬時停電である場合、この瞬時停電時にも不要に点灯状態が変更されてしまう。
【０００５】
本発明は、上述のような課題を解決するためになされたもので、意図しない点灯状態の変化を抑制することができる点灯装置および照明器具を提供することを目的とする。
【課題を解決するための手段】
【０００６】
本発明にかかる点灯装置は、
光源モジュールと接続し、設定した調光比に従って前記光源モジュールに電力を供給する点灯回路と、
商用電源が供給されるオン期間と前記商用電源が遮断されるオフ期間の組み合わせからなるプルレス操作を検出するプルレス操作検出回路と、
所定条件が成立したら前記調光比を設定する設定モードに移行し、前記設定モードへの移行後に前記プルレス操作検出回路で前記プルレス操作を検出したら前記調光比の設定値を変化させる制御回路と、
を備えることを特徴とする。
【０００７】
本発明にかかる照明器具は、
光源モジュールと、
前記光源モジュールと接続する点灯装置と、
前記点灯装置と商用電源との間に介在する電源スイッチと、
を備え、
前記点灯装置は、
設定した調光比に従って前記光源モジュールに電力を供給する点灯回路と、
前記商用電源が供給されるオン期間と前記商用電源が遮断されるオフ期間の組み合わせからなるプルレス操作を検出するプルレス操作検出回路と、
所定条件が成立したら前記調光比を設定する設定モードに移行し、前記設定モードへの移行後に前記プルレス操作検出回路で前記プルレス操作を検出したら前記調光比の設定値を変化させる制御回路と、
を備えることを特徴とする。
【発明の効果】
【０００８】
本発明によれば、瞬時停電により電源変動があったときに意図しない点灯状態変化が起きることを抑制することができる。
【図面の簡単な説明】
【０００９】
【図１】本発明の実施の形態１にかかる照明器具の分解斜視図である。
【図２】本発明の実施の形態１にかかる点灯装置および照明器具の構成を説明するための回路図である。
【図３】本発明の実施の形態１にかかる点灯装置において制御回路が実行するルーチンのフローチャートである。
【図４】本発明の実施の形態１にかかる点灯装置の動作について説明するためのタイムチャートである。
【図５】本発明の実施の形態１にかかる点灯装置の動作について説明するためのタイムチャートである。
【図６】本発明の実施の形態２にかかる点灯装置において制御回路が実行するルーチンのフローチャートである。
【図７】本発明の実施の形態３にかかる点灯装置において制御回路が実行するルーチンのフローチャートである。
【発明を実施するための形態】
【００１０】
実施の形態１．
［実施の形態の装置の構成］
図１は、本発明の実施の形態１にかかる照明器具１０００の分解斜視図である。照明器具１０００は、壁スイッチＳＷ（図１には図示せず）と接続している。照明器具１０００は、器具本体１００１と灯具１００２とを備える。器具本体１００１は、点灯装置１００を備える。灯具１００２は、光源モジュール２００（図１には図示せず）を備える。壁スイッチＳＷは、照明器具１０００への商用電源の供給をオン／オフし、照明器具１０００の点灯と消灯を行うための電源スイッチである。壁スイッチＳＷと電源および照明器具１０００との接続構造は一般的なものであり、新規な事項ではないので、ここでは説明を省略する。
【００１１】
壁スイッチＳＷは電源線を介して照明器具１０００に接続されている。照明器具１０００は、点灯装置１００に光源モジュール２００が装着されたものである。点灯装置１００を商用電源に接続し、点灯装置１００が光源モジュール２００を点灯させる。なお、複数の照明器具１０００を共通の壁スイッチＳＷでオンオフするようにしてもよく、この場合には単一の照明システムが構成されている。
【００１２】
図２は、本発明の実施の形態１にかかる点灯装置１００および照明器具１０００の構成を説明するための回路図である。図２には、商用電源である交流電源ＡＣに接続される点灯装置１００と、この点灯装置１００から電力が供給されて点灯する光源モジュール２００とを備える照明器具１０００が図示されている。交流電源ＡＣと点灯装置１００との間には、それらの電気的接続をオンオフするための壁スイッチＳＷが設けられている。
【００１３】
点灯装置１００は、ダイオードブリッジＤＢと、昇圧チョッパ回路１０と、点灯回路２０と、ＡＣ検出回路３０と、制御回路（ＣＰＵ）４０と、制御電源回路５０とを備えている。ダイオードブリッジＤＢは、入力される交流電圧を整流する。昇圧チョッパ回路１０は、このダイオードブリッジＤＢの出力電圧を昇圧する。
【００１４】
点灯回路２０は、この昇圧チョッパ回路１０の昇圧電圧を光源モジュール２００に合わせた電力に変換する。ＡＣ検出回路３０は、ダイオードブリッジＤＢに接続され、交流電源ＡＣが供給されていることを検出する。制御回路４０は、このＡＣ検出回路３０と点灯回路２０（具体的には点灯制御回路２１）に接続され、点灯回路２０が光源モジュール２００に供給する電力を制御する。
【００１５】
制御電源回路５０は、昇圧チョッパ回路１０の出力に接続され、昇圧チョッパ回路１０、点灯回路２０および制御回路４０に制御電源Ｖｃｃを供給する。
【００１６】
昇圧チョッパ回路１０は、一端がダイオードブリッジＤＢの出力と接続する、インダクタＬ１とダイオードＤ１の直列回路を備えている。昇圧チョッパ回路１０は、ダイオードブリッジＤＢの出力波形を分圧して検出する抵抗Ｒ１、Ｒ２を備えている。
【００１７】
昇圧チョッパ回路１０は、ＭＯＳ−ＦＥＴ（ＭＯＳ電界効果トランジスタ）Ｑ１、ＭＯＳ−ＦＥＴＱ１に流れる電流を検出する抵抗Ｒ３、電解コンデンサＣ１、およびＰＦＣ制御回路１１を備えている。ＰＦＣ制御回路１１は、抵抗Ｒ１、Ｒ２の検出電圧および抵抗Ｒ３の検出電流に基づいてＭＯＳ−ＦＥＴＱ１のスイッチングを制御する。
【００１８】
点灯回路２０は、ドレインがダイオードＤ１のカソードに接続したＭＯＳ−ＦＥＴＱ２と、一端がＭＯＳ−ＦＥＴＱ２のソースに接続したインダクタＬ２とを備えている。インダクタＬ２の他端は光源モジュール２００と接続すべき出力端子に接続している。
【００１９】
ダイオードＤ２のカソードはＭＯＳ−ＦＥＴＱ２とインダクタＬ２との間に接続し、ダイオードＤ２のアノードはグランドに接続する。コンデンサＣ２は、光源モジュール２００の接続時にこれと並列になるように設けられている。抵抗Ｒ５は、光源モジュール２００に流れる電流を検出する。点灯制御回路２１は、ＭＯＳ−ＦＥＴＱ２のスイッチングを制御する。
【００２０】
ＡＣ検出回路３０は、ダイオードＤ３、抵抗Ｒ６、Ｒ７が直列に接続したものである。ダイオードＤ３のアノードは、ダイオードブリッジＤＢとインダクタＬ１の間に接続している。ダイオードＤ３のカソードには抵抗Ｒ６，Ｒ７が順次直列に接続される。抵抗Ｒ６、Ｒ７が、ダイオードＤ３を介して入力される電圧を分圧する。
【００２１】
この分圧した電圧は、交流電源ＡＣの供給の有無を判別するための検出信号として出力される。壁スイッチＳＷのプルレス操作があったときに交流電源ＡＣの供給の有無が短期間で切り替わるので、この検出信号に基づいてプルレス操作を検出することができる。
【００２２】
いわゆる「プルレス操作」は、交流電源ＡＣが供給されるオン期間と交流電源ＡＣが遮断されるオフ期間の組み合わせからなる操作である。具体的には、本実施形態のプルレス操作は壁スイッチＳＷを短時間で電源オン→オフ→オンと操作することをいう。
【００２３】
制御回路４０は、例えば、マイコンからなる。制御回路４０は、抵抗Ｒ６およびＲ７で分圧された電圧、すなわちＡＣ検出回路３０が出力する検出信号を受けることができる。制御回路４０は、ＡＣ検出回路３０が出力する検出信号から交流電源ＡＣの供給の有無を判別することができる。
【００２４】
制御電源回路５０は、昇圧チョッパ回路１０の出力から、制御電源Ｖｃｃ１を生成する。制御電源回路５０は、昇圧チョッパ回路１０のＰＦＣ制御回路１１、点灯回路２０の点灯制御回路２１、および制御回路４０と接続しており、これらを動作させるための電源として制御電源Ｖｃｃ１を供給することができる。
【００２５】
なお、本実施の形態では、昇圧チョッパ回路１０の出力から制御電源Ｖｃｃ１を生成する場合について説明するが、これに限らず、例えばダイオードブリッジＤＢの出力から制御電源Ｖｃｃを生成してもかまわない。
【００２６】
光源モジュール２００は、直列接続された複数の半導体発光素子ＬＥＤａからなる。この実施の形態では、直列接続される半導体発光素子ＬＥＤａの個数が５個の場合について説明するが、これに限定されず、任意の半導体発光素子ＬＥＤａを直列にしてもよく、或いは、半導体発光素子ＬＥＤａを並列接続しても構わない。また、光源モジュール２００の半導体発光素子ＬＥＤａの発光色は、５０００Ｋの白色のほかに３５００Ｋなどの色温度であってもよい。
【００２７】
点灯装置１００の動作について説明する。点灯回路２０は、制御回路４０が出力する制御信号に基づいて、光源モジュール２００に供給する電流を決定する。光源モジュール２００に流れる電流は、抵抗Ｒ５に流れる電流と等しい。このため、点灯制御回路２１は、抵抗Ｒ５に流れる電流（または抵抗Ｒ５に発生する電圧）を検出して、ＭＯＳ−ＦＥＴＱ２のオンデューティ比を制御することにより、目標とする電流を光源モジュール２００に供給するように制御する。このようにして、光源モジュール２００の明るさを変化させる。
【００２８】
次に制御回路４０の動作について説明する。図３は、本発明の実施の形態１にかかる点灯装置１００において制御回路４０が実行するルーチンのフローチャートである。
【００２９】
制御回路４０は、プルレス時間カウンタを有する。「プルレス時間カウンタ」は、プルレス操作時間をカウントするためのカウンタである。プルレス操作時間とは、交流電源ＡＣの供給が遮断されていることがＡＣ検出回路３０で検出されている時間（出力停止時間）を意味している。
なお、制御回路４０は、光源モジュール２００の累積点灯時間をカウントするための「累積点灯時間カウンタ」をさらに備えてもよい。
【００３０】
プルレス操作時間が所定の短期間であれば、意図的なオン、オフ、オンつまりプルレス操作があったと判断できる。つまり、本実施の形態では、壁スイッチＳＷの操作自体を監視するのではなく、壁スイッチＳＷの操作の結果として生ずる商用電源のオンオフ動作を監視することで、プルレス操作の有無を検出する。
【００３１】
次に、制御回路４０の動作について、図３のフローチャートを用いて説明する。まず、制御回路４０が所定の壁スイッチのプルレス操作の有無を検出する（ステップＳ１）。本実施の形態のプルレス操作は、壁スイッチＳＷを短時間でオン→オフ→オンと操作することをいう。以下、オンとオフを切り替える操作を「オン／オフ操作」と略称することがある。プルレス操作が検出されなければ、今回のルーチンが終了する。
【００３２】
ステップＳ１でオン／オフ操作（プルレス操作）があったと検出されると、点灯回路２０は設定モードに移行する（ステップＳ２）。
【００３３】
設定モードに移行すると、制御回路４０は、再度、オン／オフ操作（プルレス操作）の有無を検出する（ステップＳ３）。つまり、設定モード移行後の１回目のプルレス操作の有無を検出する。制御回路４０は、設定モードの状態で、一定時間（例えば、１分とする）経過すると、設定モード移行前に設定されていた明るさで点灯し、今回のルーチンが終了し、設定モードから通常モードに復帰する。
【００３４】
ステップＳ３でオン／オフ操作（プルレス操作）があった場合には、続いて、さらなるオン／オフ操作（プルレス操作）つまり設定モード移行後の２回目のオン／オフ操作（プルレス操作）があったか否かが検出される(ステップＳ４)。設定モード移行後の２回目のプルレス操作が無い場合には、出力比８５％という値に調光比が設定され、その設定にしたがって制御回路４０が点灯制御回路２１への制御信号を調節する（ステップＳ５）。その後、今回のルーチンが終了し、設定モードから通常モードに復帰する。
【００３５】
ステップＳ４でオン／オフ操作（プルレス操作）があった場合には、続いて、さらなるオン／オフ操作（プルレス操作）つまり設定モード移行後の３回目のオン／オフ操作（プルレス操作）があったか否かが検出される(ステップＳ６)。設定モード移行後の３回目のプルレス操作が無い場合には、出力比７５％という値に調光比が設定され、その設定にしたがって制御回路４０が点灯制御回路２１への制御信号を調節する（ステップＳ７）。その後、今回のルーチンが終了し、設定モードから通常モードに復帰する。
【００３６】
ステップＳ６でオン／オフ操作（プルレス操作）があった場合には、続いて、さらなるオン／オフ操作（プルレス操作）つまり設定モード移行後の４回目のオン／オフ操作（プルレス操作）があったか否かが検出される(ステップＳ８)。設定モード移行後の４回目のプルレス操作が無い場合には、出力比５０％という値に調光比が設定され、その設定にしたがって制御回路４０が点灯制御回路２１への制御信号を調節する（ステップＳ９）。その後、今回のルーチンが終了し、設定モードから通常モードに復帰する。
【００３７】
ステップＳ８でオン／オフ操作（プルレス操作）があった場合には、続いて、さらなるオン／オフ操作（プルレス操作）つまり設定モード移行後の５回目のオン／オフ操作（プルレス操作）があったか否かが検出される(ステップＳ１０)。設定モード移行後の５回目のプルレス操作が無い場合には、出力比２５％という値に調光比が設定され、その設定にしたがって制御回路４０が点灯制御回路２１への制御信号を調節する（ステップＳ１１）。その後、今回のルーチンが終了し、設定モードから通常モードに復帰する。
【００３８】
ステップＳ１０でオン／オフ操作（プルレス操作）があった場合には、出力比１０％という値に調光比が設定され、その設定にしたがって制御回路４０が点灯制御回路２１への制御信号を調節する（ステップＳ１２）。その後、今回のルーチンが終了し、設定モードから通常モードに復帰する。
【００３９】
以上説明したように、本実施の形態によれば、設定モードへ移行した後でなければプルレス操作による調光比変化をさせないようにしている。このため、設定モードに移行していないステップＳ１でのオン／オフ操作によっては、調光比は変更されない。したがって、瞬時停電により電源変動があったときに意図しない調光比変化を抑制することができる。
【００４０】
図４は、本発明の実施の形態１にかかる点灯装置の動作について説明するためのタイムチャートである。図４は、より詳細には、本発明の実施の形態１および後述する実施の形態２において、通常点灯状態から設定モードへ移行するためのプルレス操作に応じた電源オンオフ動作を示すタイムチャートである。商用電源がオンからオフとなり、その後さらにオフからオンとなったとき、プルレス操作があったと判定する。
【００４１】
図４の時間Ｔｓｅｔは、商用電源のオフからオンまでの時間である。この時間Ｔｓｅｔが、前述したプルレス操作時間に相当している。
【００４２】
図４でプルレス操作有りと判定されるのは、商用電源のオフからオンまでの時間Ｔｓｅｔが５００ｍｓ（ミリ秒）以上、２０００ｍｓ以下の範囲内であると検出されたときである。Ｔｓｅｔが５００ｍｓ未満の場合には、瞬時停電とみなし、プルレス操作は無効とする。Ｔｓｅｔが２０００ｍｓを超える場合には、通常の電源オン／オフ操作とみなし、プルレス操作を無効とする。
【００４３】
図５は、本発明の実施の形態１にかかる点灯装置の動作について説明するためのタイムチャートである。図５は、より詳細には、本発明の実施の形態１および後述する実施の形態２において、出力比を変更するためのプルレス操作に応じた電源オンオフ動作を示すタイムチャートである。なお、図５は、後述する実施の形態３における通常点灯状態から設定モードへ移行するためのプルレス操作でもある。
【００４４】
図５のＴｍｏｄｅは、商用電源がオンからオフに切り替わった後、再びオフからオンに切り替わるまでの時間である。このＴｍｏｄｅも、前述したプルレス操作時間に相当している。
【００４５】
このＴｍｏｄｅが５００ｍｓ以上３０００ｍｓ以下の範囲内にあると検出されたときに限り、出力比の変更、および実施の形態３での設定モードへの移行が行われるものとする。Ｔｍｏｄｅが５００ｍｓ未満の場合には、瞬時停電とみなし、プルレス操作を無効とする。Ｔｍｏｄｅが３０００ｍｓを超える場合には、通常の電源オン／オフ操作とみなし、プルレス操作を無効とする。
【００４６】
実施の形態２．
実施の形態２にかかる照明器具および点灯装置は、実施の形態１と同様のハードウェア構成を備えている。ただし、制御回路４０が実行する制御内容が異なっている。以下の説明では、この相違点を中心に説明し、実施の形態１と同様の構成については同一の符号を付すとともに、実施の形態１との共通事項は説明を簡略化ないしは省略する。
【００４７】
図６は、本発明の実施の形態２にかかる点灯装置１００において制御回路４０が実行するルーチンのフローチャートである。図３のフローチャートと同様の処理ステップには、同一の符号を付している。
【００４８】
先ず、図３と同様にプルレス操作の検出が行われる（ステップＳ１）。
【００４９】
次に、実施の形態２では、制御回路４０が、壁スイッチＳＷのオフからオンに切り替わる時間が０．５秒〜２．０秒の範囲内にあるかを判定する処理を実行する（ステップＳ２０）。
【００５０】
ステップＳ２の条件が成立（ＹＥＳ）であった場合には、設定モードに移行する（ステップＳ２）。一方、ステップＳ２の条件が不成立（ＮＯ）であった場合には、今回のルーチンが終了する。
【００５１】
実施の形態２では、通常の点灯動作から設定モードへ移行したとき、設定モードに入っていることを報知するために、通常の点灯動作とは異なる明るさとなるように制御回路４０が点灯制御回路２１に制御信号を送る。例えば、通常の点灯動作時の明るさ（調光度）が８０％のとき、設定モードにおける明るさ（調光度）を５０％にする。これにより、ユーザに設定モードになっていることを報知することができる。
【００５２】
設定モードになっているとき、プルレス操作を行う回数によって、通常の点灯動作時における明るさ（調光度）の設定値を変更する。この点は、実施の形態１の図３のルーチンと同じである。
【００５３】
すなわち、設定モード移行後のプルレス操作が１回のときは、ステップＳ３で「あり」、ステップＳ４で「なし」となり、通常の点灯動作時における出力比を８５％に設定する（ステップＳ５）。
【００５４】
設定モード移行後のプルレス操作が２回のときは、ステップＳ４で「あり」、ステップＳ６で「なし」となり、通常の点灯動作時における出力比を７５％に設定する（ステップＳ７）。
【００５５】
設定モード移行後のプルレス操作が３回のときは、ステップＳ６で「あり」、ステップＳ８で「なし」となり、通常の点灯動作時における出力比を５０％に設定する（ステップＳ１０）。
【００５６】
設定モード移行後のプルレス操作が４回のときは、ステップＳ８で「あり」、ステップＳ１０で「なし」となり、通常の点灯動作時における出力比を２５％に設定する（ステップＳ１１）。
【００５７】
設定モード移行後のプルレス操作が５回のときは、ステップＳ１０で「あり」となり、通常の点灯動作時における出力比を１０％に設定（ステップＳ１２）する。
【００５８】
実施の形態２によれば、ユーザに対して設定モードへの移行を報知しているので、ユーザが意識的に設定モードに切り替えられた状態でプルレス操作を行うことができる。設定モード中は、プルレス操作時に瞬時停電による通常の点灯動作時における出力比が切り替わってしまうことを考慮する必要がなくなる。
【００５９】
仮に設定モードで出力比の変更を行っているときに、瞬時停電などが発生して出力比が変わってしまったとしても、プルレス操作の回数を増やすことで所望の調光比に設定することができる。通常の使用状態における意図しない出力比変更ではないので、ユーザに不快感を与えることがない。
【００６０】
なお、この実施の形態では、通常点灯状態から、設定モードへ切り替えるためのプルレス操作を１回とし、オフからオンに切り替える時間を０．５ｓ〜２．０ｓの間である場合について説明したが、本発明はこれに限定されるものではない。例えば、プルレス操作を３回行ったときに通常点灯状態から設定モードへ切り替えるようにしてもよく、そうするとユーザはより意識的に通常点灯状態から設定モードへ切り替えていることを意識できる。
【００６１】
実施の形態３．
実施の形態３にかかる照明器具および点灯装置は、実施の形態１、２と同様のハードウェア構成を備えている。ただし、制御回路４０が実行する制御内容が異なっている。以下の説明では、この相違点を中心に説明し、実施の形態１、２と同様の構成については同一の符号を付すとともに、実施の形態１、２との共通事項は説明を簡略化ないしは省略する。
【００６２】
図７は、本発明の実施の形態３にかかる点灯装置１００において制御回路４０が実行するルーチンのフローチャートである。図３および図６のフローチャートと同様の処理ステップには、同一の符号を付している。
【００６３】
図３および図６のルーチンと同様に、プルレス操作の検出が行われると（ステップＳ１）、設定モードに移行（ステップＳ２）する。
【００６４】
設定モードに移行してからプルレス操作がなく１秒が経過したか否かを判定する（ステップＳ２１）。ステップＳ２１で、設定モードになってから１秒を経過していないときは、処理はステップＳ３に戻り、設定モードになってから１秒を経過しているとき、設定モードを解除する（ステップＳ２２）。その後、今回のルーチンが終了する。
【００６５】
これ以降の処理は、図３および図６のルーチンと同様である。
【００６６】
実施の形態３によれば、ステップＳ１のプルレス操作時におけるオフ→オン判定時間を短くしている。これにより、瞬時停電によって意図せずに設定モードになってしまった場合であっても、復電時に意図せずに通常の点灯状態の調光比が変更されることを抑制でき、瞬時停電前の状態に復帰させることができる。
【００６７】
なお、特許文献２には、所定の操作スイッチオン／オフ操作で、調光比設定モードに切り替えてから所定の時間間隔ごとに調光比を変化させることで、ユーザが明るさを選択できる機能を備える点灯装置が記載されている。
【００６８】
しかしながら、この特許文献２に記載の点灯装置は、調光比設定モードにおいて段階的に自動で明るさを変化させ、所望の明るさになった際にユーザが壁スイッチ操作を行い明るさを設定するものである。このため、調光点灯状態をスイッチのオン／オフ操作で確定する場合、調光点灯状態を確定するまでに時間がかかってしまう。
【００６９】
また、この特許文献２に記載の点灯装置は、点灯状態の変化が一巡しないと１００％の明るさに戻ることがない。このため、所望の明るさにする設定を過ぎてしまった場合は、点灯状態の変化が一巡するまで待たなければならない。その結果、設定に時間を要するという問題があった。
【００７０】
この点、実施の形態１乃至３にかかる点灯装置および照明器具によれば、設定モードへの移行後には、プルレス操作の回数に応じて速やかに特定の調光比を決定することができる。したがって、特許文献２にかかる技術のごとく長時間を要するという問題も解決できる。
【符号の説明】
【００７１】
１０  昇圧チョッパ回路、１１  ＰＦＣ制御回路、２０  点灯回路、２１  点灯制御回路、３０  ＡＣ検出回路、４０  制御回路、５０  制御電源回路、１００  点灯装置、２００  光源モジュール、１０００  照明器具、ＳＷ  壁スイッチ。
【図１】
2015005364.tif 000003
【図２】
2015005364.tif 000004
【図３】
2015005364.tif 000005
【図４】
2015005364.tif 000006
【図５】
2015005364.tif 000007
【図６】
2015005364.tif 000008
【図７】
2015005364.tif 000009